(57)【要約】【課題】新規の改善されたフィードビームを提供すること。【解決手段】本発明は、フィードビームと、削岩ユニットと、フィードビームとを製造する方法に関するものである。フィードビーム（５）は、２つ以上の重なり合った材料層（１２、１３）を有する基本プロファイル要素（１１）を備える。材料層のうち少なくとも１つは複合材料で作られてよい。【選択図】図３
2019112928.tif 000002
【特許請求の範囲】
【請求項１】
掘削ユニットのフィードビームであって、
前記フィードビーム（５）は、当該フィードビーム（５）上で削岩機（６）が移動可能に支持されることを可能にする支持表面が備わった基本プロファイル要素（１１）を備える細長い部片である、フィードビームにおいて、
前記フィードビーム（５）が少なくとも１つの多層の縦断面を備え、前記フィードビーム（５）の前記基本プロファイル（１１）の断面が、互いに異なる材料である少なくとも２つの重なり合った材料層を備え、
前記多層部分が２層複合構造を備え、外部層（１３）および内部層（１２）が２つの異なる複合材料で作られており、前記２つの異なる複合材料が、どちらも強化繊維（２７）およびマトリクス材（２８）を含むことを特徴とする、フィードビーム。
【請求項２】
前記フィードビーム（５）の少なくとも前記多層部分が円形の内側表面を有することを特徴とする、請求項１に記載のフィードビーム。
【請求項３】
前記フィードビーム（５）の断面が少なくとも前記多層部分において中空空間（１４）を備え、前記中空空間（１４）がフィードデバイス（１５）用の実装空間として働くように構成され、前記フィードビーム（５）が前記フィードデバイス（１５）を包むように構成されていることを特徴とする、請求項１または２に記載のフィードビーム。
【請求項４】
前記フィードビーム（５）が、重なり合った内部層構成要素（１２）と外部層構成要素（１３）とを備え、
前記外部層構成要素（１３）が、前記内部層構成要素（１２）上に取外し可能な態様で取り付けられ、したがって変更可能な構成要素であることを特徴とする、請求項１から３のいずれか一項に記載のフィードビーム。
【請求項５】
前記フィードビーム（５）の断面形状が閉じており、
前記外部層構成要素（１３）が、前記フィードビーム（５）から離れる方向に延在する複数の突起（２０ａ〜２０ｄ）を備え、
前記外部層構成要素（１３）が、前記フィードビーム（５）に、前記突起（２０ａ〜２０ｄ）を例外として円形の断面形状をもたらすように構成されていることを特徴とする、請求項１から４のいずれか一項に記載のフィードビーム。
【請求項６】
前記外部層構成要素（１３）には、前記削岩機（６）の支持要素として働く複数の支持突起（２０ａ、２０ｂ）が備わっており、
前記支持突起（２０ａ、２０ｂ）の外表面がスライド表面を備えることを特徴とする、請求項１から５のいずれか一項に記載のフィードビーム。
【請求項７】
前記外部層構成要素（１３）には、前記掘削ユニット（４）に補助デバイスを締結するための少なくとも１つの取付け突起（２１ａ、２１ｂ）が備わっていることを特徴とする、請求項１から６のいずれか一項に記載のフィードビーム。
【請求項８】
前記内部層構成要素（１２）が継ぎ目のない均一な断面形状を有することを特徴とする、請求項１から７のいずれか一項に記載のフィードビーム。
【請求項９】
フィードビーム（５）と
前記フィードビーム（５）上に支持された削岩機（６）と、
前記フィードビーム（５）上で前記削岩機（６）を長手方向に移動させるためのフィードデバイス（１５）とを備える削岩ユニットであって、
前記フィードビーム（５）が、少なくとも１つの多層縦断面を備え、請求項１から８のいずれか一項に記載のものであることを特徴とする、削岩ユニット。
【請求項１０】
削岩ユニット（４）の、細長い要素であるフィードビーム（５）を製造する方法であって、
前記フィードビーム（５）に少なくとも１つの縦断面を設けることを含み、
前記フィードビーム（５）の断面が多層構造を備え、前記多層構造が互いに異なる材料である少なくとも２つの重なり合った材料層（１２、１３）であることを特徴とする、方法。
【請求項１１】
各々が強化繊維（２７）およびマトリクス材（２８）を含む少なくとも２つの異なる複合材料のフィードビーム（５）を製造することを特徴とする、請求項１０に記載の方法。
【発明の詳細な説明】
【技術分野】
【０００１】
本発明は、削岩ユニットのフィードビームに関する。フィードビームは、削岩機を支持してガイドするための支持表面を備える細長い部片である。
【０００２】
本発明はさらに、フィードビームを製造する方法に関する。
【０００３】
本発明の分野は、独立請求項の前文においてより具体的に定義される。
【背景技術】
【０００４】
鉱山および他の作業現場において、異なるタイプの削岩装置が使用される。削岩装置には１つまたは複数のブームが備わっており、ブームの遠位端には削岩ユニットが配置されている。削岩ユニットはフィードビームを備え、削岩デバイスは、掘削手順中にフィードビームに沿って移動するように構成されている。最新のフィードビームは、比較的強くて軽い、押出し成形されたアルミニウムプロファイルから成る。しかしながら、現行のフィードビームは、依然としていくつかの不利益を含有することが示されている。
【発明の概要】
【０００５】
本発明の目的は、新規の改善されたフィードビームを提供することである。本発明はさらに、フィードビームを製造する方法に関する。
【０００６】
本発明によるフィードビームは、１つ目の独立装置請求項の特徴事項によって特徴づけられる。
【０００７】
本発明による削岩ユニットは、２つ目の独立装置請求項の特徴事項によって特徴づけられる。
【０００８】
本発明による方法は、独立方法請求項の特徴事項およびステップによって特徴づけられる。
【０００９】
開示される解決策の理念は、掘削ユニットのフィードビームが、削岩機がフィードビーム上で可動式に支持されることを可能にする支持表面が備わっている細長い部片の基本プロファイル要素を備えることである。フィードビームは１つまたは複数の多層の縦断面を備え、フィードビームの基本プロファイルの断面は、互いに関連した異材質である２つ以上の重なり合った材料層を備える。多層部分が２層複合構造を備え、外部層および内部層は２つの異なる複合材料で作られており、２つの異なる複合材料は、どちらも強化繊維およびマトリクス材を含む。フィードビームの構造は、複数の材料層を備えるので、多層フィードビームと名付けられ得る。
【００１０】
開示される解決策の利点は、フィードビームが非常に高剛性であり、それでもなお軽量であると解釈され得ることである。フィードビームの構造は、外核によって保護された、軽い剛体の内側部分を備え得る。このように、フィードビームの内部構造において非常に軽い剛性材料を使用することができ、外核は、この構造が掘削現場における厳しい状況に耐えることを保証し得る。たとえば、フィードビームの外部構造は、内部構造を、摩耗、損傷および湿気から保護し得る。
【００１１】
開示される多層構造のさらなる利点は、フィードビームの製造に融通性があり得て、構造の設計が多様なやり方で変化し得ることである。
【００１２】
さらに、開示される多層の構造ではフィードビームの外部寸法が増加せず、このことは掘削ユニットの有用性においてプラス効果がある。フィードビームが以前よりも堅いとき、フィードビームの位置決めがより正確になり得る。フィードビームは、より堅い構造によってより大きいペイロードを支持し得るので、多様な補助デバイスおよび構成要素も備わっていてよい。ロッドおよび工具の操縦デバイスおよび他の補助デバイスの取付けも、従来のフィードビームよりも自由に実行され得る。さらなる利益の１つには、開示されたフィードビームの堅い構造の、疲労寿命および実用寿命が延長され得ることがある。要約すると、多層フィードビームは、基本プロファイル要素の２つ以上の重なり合った構造の層の最善の材料特性および構造特性を享受し得るものである。
【００１３】
一実施形態によれば、フィードビームの第１の終端から第２の終端まで多層の縦断面が延在する。言い換えれば、基本プロファイルは端から端まで多層構造を有する。このように、ビームの両端間に不連続性がないので、構造の強度が損なわれることがない。
【００１４】
一実施形態によれば、多層の縦断面は、第１の終端と第２の終端の間の限られた縦断面にしか延在しない。この解決策では、開示された多層構造を備えるのは重要な部分または所望の部分のみであり、他の部分は、たとえば単一層の構造を備えてよい。
【００１５】
一実施形態によれば、多層部分は内部層構成要素および外部層構成要素を備える。複合の内部層構成要素は、基本プロファイルにおける主要な負荷担持構造として働くように設計されてよい。内部層の構造および材料特性は負荷担持能力に関して最適化されてよく、複合材料が使用されるので軽い構造になり得る。
【００１６】
一実施形態によれば、内部層構成要素と外部層構成要素の間に少なくとも１つの中間層構成要素がある。中間層は複合材料で作られてよい。１つまたは複数の中間層により、基本プロファイル要素の特性がさらに影響を受ける可能性がある。中間層は外部層の下であるので都合よく保護され、それによって、中間層の特性および材料は必要に応じて比較的自由に選択され得る。
【００１７】
一実施形態によれば、この特許出願において開示される複合材料は、強化材としての炭素繊維と、マトリクス材または結合剤としての熱可塑性かつ／または熱硬化性の樹脂とを備える。
【００１８】
一実施形態によれば、外部層は、各層を包んで外力および環境に対して保護するように構成された保護層である。保護特性を付加的に改善するための１つまたは複数のコーティングを有する最外層を設けることが可能である。
【００１９】
一実施形態によれば、外部層構成要素は金属材料で作られている。この目的に適切な金属材料は、アルミニウム、チタン、マグネシウムおよび他の適切な軽い合金である。高張力鋼材料も実装されてよい。
【００２０】
一実施形態によれば、外部層構成要素は、包む外殻構造および減衰構造を備える殻構造を有する。言い換えれば、外殻部分は、減衰部分を覆う比較的強い閉じたカバー部品を有する外部層をもたらし得、より柔軟な材料から形成されてよい。したがって、外部層構成要素は２つ以上の異なるポリマー材料を備え得る。たとえば、外殻部分は、繊維強化複合材料または他の堅いポリマー材料で作られてよい。減衰部分は、外力の影響下で変形することによって力の影響を減衰し得る弾性材料または再成形可能な材料で作られてよい。たとえば、減衰部分用の適切な材料は、ゴム状物質およびポリウレタンでよい。さらに、プラスチックおよびポリマー発泡体も使用され得る。
【００２１】
一実施形態によれば、少なくともフィードビームの多層部分は、円形の形状の内側表面を有する。この構造は、管状の部片である内部構成要素を備え得る。管状の内部構成要素の外表面側には、１つまたは複数のさらなる材料層が形成されているか、あるいは１つまたは複数のさらなる外部層構成要素が取り付けられている。
【００２２】
一実施形態によれば、フィードビームの断面は、少なくとも多層部分において、フィードデバイス用の実装空間として働くように構成された中空空間を備え、それによって、フィードビームはフィードデバイスを包むように構成されている。フィードデバイスは、フィードビームの基本プロファイル要素の内部層によって画定された空間の内部にあり得る油圧シリンダなどの１つまたは複数のアクチュエータを備えてよい。
【００２３】
一実施形態によれば、中空空間の内部には少なくとも１つの供給通路または導管がある。したがって、フィードビームの内部空間には、油圧の供給および放出のホースおよびチューブ、ならびに電力および感知の電線が配置され得る。中空空間の内部ではチャネルおよび導管がうまく保護され、もつれや目に見える障害は起こらない。
【００２４】
一実施形態によれば、フィードビームの基本プロファイルは２等分された外部層構成要素を備え、それによって他の層状構造または基本プロファイル要素の構成要素を取り付けるのが容易である。あるいは、外部層構成要素の断面は、フィードビームの外殻をともに形成する３つ、４つ、またはより多くの要素から成り得る。たとえば、外部層構成要素は、接着または他の接合技術を用いて互いに締結されてよく、他の層に締結されてもよい。
【００２５】
一実施形態によれば、フィードビームは、重なり合った内部層構成要素と外部層構成要素を備える。外部層構成要素は、内部層構成要素上に取外し可能な態様で取り付けられる。したがって、外部層構成要素は変更可能な構成要素であり得る。
【００２６】
一実施形態によれば、外部層構成要素は、修理可能な材料で作られた犠牲構成要素である。言い換えれば、外部層構成要素の設計および材料は、特殊工具なしで簡単に速く固定され得るように選択されてよい。
【００２７】
一実施形態によれば、フィードビームの断面形状は閉じている。言い換えれば、基本プロファイル要素は一種の箱形構造であり、このことは構造の強度特性を考えるとき有利である。さらに、外部層構成要素は、フィードビームから離れる方向へ延在する複数の突起を備えてよい。突起は、異なるデバイスのための支持部分および取付表面として働き得る。突起は、基本プロファイル要素の強度特性も改善し得る。外部層構成要素は、これらの突起を例外として、円形の断面形状を有するフィードビームをもたらすように構成されてよい。
【００２８】
一実施形態によれば、外部層構成要素には、削岩機のための支持要素として働く複数の支持突起が備わっている。支持突起の外表面が備えるスライド面上で、往復台がフィードデバイスによって移動され得る。言い換えれば、往復台とフィードビームの間にスライドベアリングがあってよい。削岩機は、往復台上に取り付けられる。
【００２９】
一実施形態によれば、支持突起は４つあって、フィードビームの円周上で等間隔に配置されている。等間隔に配置された４つの支持突起は、矩形断面を有する従来のフィードビームを模倣し得るものである。開示された４つの支持突起が、往復台と、その上に取り付けられた掘削機との、十分な支持を保証する。
【００３０】
一実施形態によれば、支持突起の外表面上には個別のスライド構成要素が備わっている。スライド構成要素は、容易に交換可能な要素でよく、形状ロックならびに突起の表面とスライド構成要素の間の摩擦を用いて支持突起上に接続され得る。締結ねじなどの、さらなる開閉式の機械的締結要素も適用されてよい。スライド構成要素は、適切な耐摩耗性のプラスチック材料で作られ得る。あるいは、スライド構成要素はステンレス鋼などの金属材料で作られてよく、それによって、往復台には、相手方として働く、鋼要素から支持されたプラスチックスライド部片が備わっていてよい。
【００３１】
一実施形態によれば、スライド表面は、外部層の支持突起の一部分になるように一体化される。フィードビームの基本プロファイル要素の外部層または構成要素が適切なポリマー材料の複合材料で作られているとき、スライド表面を形成するスライド要素またはスライド部片は外部構造の内部へ部分的に挿入されてよい。それによって、スライド要素は剛体の締結を有し、個別の取付けステップは不要である。
【００３２】
一実施形態によれば、外部層構成要素には、掘削ユニットに補助デバイスを締結するための少なくとも１つの取付け突起が備わっている。
【００３３】
一実施形態によれば、外部層構成要素はフィードビームの反対側に位置する２つの取付け突起を備える。外部層構成要素は２等分されており、どちらも接合面を備える。さらに、前述の接合面は前述の取付け突起に位置する。接合面が取付け突起に位置するとき、接合面の表面積を接合用に十分大きくすることができ、さらに、取付け突起には、接合面を互いに接続するための機械的締結要素が備わっていてよい。
【００３４】
一実施形態によれば、取付け突起の断面の形状は、突起の遠位端に向かって広がるように構成されている。このように、取付け突起の形状によって、異なる補助デバイスの取付けが容易になる。
【００３５】
一実施形態によれば、内部層構成要素は、継ぎ目のない均一な断面形状を有する。
【００３６】
一実施形態によれば、内部層構成要素は主要な荷重支持構成要素として寸法設定され、外部層構成要素は補助的な荷重支持構成要素として寸法設定されている。
【００３７】
一実施形態によれば、内部層構成要素は管状の断面を有し、均一な単一部片としてフィードビームの端から端まで延在する。
【００３８】
一実施形態によれば、削岩ユニットがフィードビームを備え、フィードビーム上に削岩機が支持されている。フィードデバイスは、フィードビーム上で掘削機を長手方向に移動させるように構成されている。掘削ユニットのフィードビームは多層の基本プロファイル要素を備える。さらに、削岩装置の掘削ブームに削岩ユニットが配置されてよい。削岩装置は地表掘削装置または地下掘削装置であり得る。削岩ユニットは産出の掘削ユニットでよく、たとえば岩篩デバイスに関連して配置されてもよい。削岩ユニットの削岩デバイスは、衝撃掘削を実行するための衝撃デバイスを備えてよく、または代替として、掘削は掘削工具の回転のみに基づくものでよい。
【００３９】
一実施形態によれば、フィードビームの重なり合った層のうち１つまたは複数が、複合材料で作られ、積層技術によって形成されている。積層技術の利点は、積層の数、材料、ならびに強化繊維の方向が必要に応じて容易に選択され得ることにある。言い換えれば、積層技術は、構造向けに実施される多数の変形形態と、多層の基本プロファイル要素の構成要素の特性とを供するものである。たとえば、含まれる補強層は、マトリクス材とともにマンドレル上に直接積層するのが比較的容易である。機械または手動で積層される層の代替として、プリプレグが実装されてよい。プリプレグは、熱可塑性または熱硬化性の樹脂基材を特定の比であらかじめしみ込ませた補強繊維要素を備える。その上、複合層は、樹脂トランスファ成形（ＲＴＭ）技術に基づき、乾燥繊維を注入して製造され得る。
【００４０】
一実施形態によれば、多層フィードビームが備える少なくとも１つの外部層構成要素は、フィードビームの基本プロファイル要素に対する取付け／取外しが容易な予備品である。予備品の代わりに、またはそれに加えて、熱および／または圧力で活性化される締結用の結合剤を備え得る。
【００４１】
一実施形態によれば、多層フィードビームは、フィードビームの基本プロファイル要素の２つの構造要素の間で長手方向に張力をかけられた、少なくとも１つの予張力がかかった要素を備える。張力によってフィードビームの剛性が大幅に増加する。基本プロファイル要素が備え得る１つまたは複数の張力棒または相当する細長い要素は、両端にねじなどの張力要素が備わっており、基本プロファイル要素の重なり合った層のうち１つの長手方向の空間の内部に少なくとも部分的に配置され得る。たとえば、張力棒は炭素複合材のロッドでよい。
【００４２】
上記で開示された実施形態は、必要とされる上記の特徴を有する適切な解決策を形成するために組み合わされてよい。
【００４３】
いくつかの実施形態が、添付図面においてより詳細に説明される。
【図面の簡単な説明】
【００４４】
【図１】掘削ユニットを装備した掘削ブームが備わっている地下掘削用削岩装置の概略側面図である。
【図２】これも掘削ユニットが備わっている地表掘削用削岩装置の概略側面図である。
【図３】内部層構成要素および外部層構成要素を備える多層フィードビームを長手方向に見た概略断面図である、
【図４】支持突起と支持突起上に配置された取外し可能スライド構成要素とを備える、２層構造のフィードビームの長手方向の概略図である。
【図５】補助デバイスを支持するための取付け突起が備わっている多層フィードビームの長手方向の概略図である。
【図６】少なくとも長手方向の強化材およびマトリクス材を含む管状の部片である内部層構成要素の概略図である。
【図７】矩形の断面形状を有する細長い部片である代替の内部層構成要素の概略図である。
【図８】内部層構成要素と外部層構成要素がどちらも略矩形の断面を有する細長い部片である２層フィードビームの概略断面図である。
【図９】多層フィードビームの壁構造の概略側断面図である、
【図１０】一体化されたスライド構成要素および一体化された取付けポイントを備えるフィードビームの壁構造の概略側断面図である。
【図１１】予張力のかかった補強要素が備わって内部層構成要素のコーナーに配置された２層フィードビームを示す長手方向の概略断面図である。
【発明を実施するための形態】
【００４５】
これらの図は、開示された解決策のいくつかの実施形態を、明瞭さのために簡単に示すものである。図では、類似の参照数字は類似の要素を同定する。
【００４６】
図１は、フィードビームを備える鉱山車両の一例として削岩装置１を示すものである。また、岩篩装置、供給装置および測定車両は、フィードビームが備わっているブームを備え得る。この特許出願において開示される改善されたフィードビームは、鉱山作業において実装されるすべてのタイプのフィードビームに適用され得る。
【００４７】
削岩装置１は、移動可能な搬送台２および搬送台２に接続された１つまたは複数のブーム３を備え得る。ブーム３の遠位端部分に掘削ユニット４があり得る。掘削ユニット４は、フィードビーム５と、フィードビーム５上に支持された削岩機６とを備え得る。削岩機６は工具７を接続するために、削岩機６の前方端部にシャンクを備え得る。さらに、掘削ユニット４は、工具保持デバイス、工具交換装置または工具マニピュレータ、および工具マガジンまたは工具収納場所などの１つまたは複数のロッド操作デバイス８を備え得る。これに加えて、１つまたは複数の追加装置９がフィードビーム５に支持されてよい。それによって、作業中にフィードビームにはいくつかの異なる負荷がかかるが、それでもなお、フィードビームは、１つまたは複数の掘削ロッド７ａを備える工具７の前方端部に取り付けたドリルの刃先７ｂの正確な位置決めを可能にするために、軽く、十分に剛体であるべきである。
【００４８】
図１では、削岩装置１は、たとえばトンネル、貯蔵用のホールまたは回廊といった地下の坑を掘る空間で作動している。
【００４９】
図２に開示されている地表の削岩装置１は、搬送台２、ブーム３、およびフィードビーム５が備わっている掘削ユニット４も備える。削岩機６はフィードビーム５上に支持されており、フィードデバイス１０を用いて掘削方向および反対の方向に移動され得る。フィードビーム５には必要な補助デバイスおよび構成要素が装備され得る。
【００５０】
図３は、内部層構成要素１２および外部層構成要素１３を有する基本プロファイル要素１１を備える多層フィードビーム５を開示する。内部層構成要素１２は円形断面を有し得る細長い部片である。内部層構成要素１２は外部層構成要素１３によって包まれてよい。内部層構成要素１２と外部層構成要素１３は、どちらも複合材料で作られてよい。内部層構成要素１２は、フィードビームに向けられた曲げ荷重およびねじり荷重を主に受けるように構成されてよい。外部層構成要素１３は、損傷や環境問題に対して内部層構成要素１２を機械的に保護し得る。内部層構成要素１２の内部にある中空空間１４が、掘削ユニットのフィードデバイス１５を受けてよい。さらに、中空空間１４は、必要であれば供給通路１６および電線１７を包んで保護してもよい。
【００５１】
外部層構成要素１３は、剛体部分であり得る外殻１８と、より柔軟な材料で作られた、外力を受けて減衰させることができる減衰部分１９とを備え得る。外部層構成要素１３は複数の支持突起２０ａ〜２０ｄをさらに備え、支持突起２０ａおよび２０ｂは、フィードビーム５に対して往復台を支持するためのものであり、あるいは、フィードビーム５に対して削岩機を往復台なしで直接支持するためのものである。支持突起２０ｃおよび２０ｄは、フィードビーム５を、対応する支持構造の掘削ブームに対して支持するためのものである。外部層構成要素１３は、フィードビーム５に対して異なる補助デバイスを取り付けるための１つまたは複数の取付け突起２１ａ、２１ｂをさらに備える。外部層構成要素１３は、１３ａと１３ｂに２等分されてよく、これらは取付け突起２１ａ、２１ｂにおいて接合面２２で互いに接続されよい。あるいは、外部層構成要素１３は、たとえば、積層技術またはモールド技術を用いて内部層構成要素１２上に直接製造されてよい。
【００５２】
図４は、基本プロファイル要素１１が図１のフィードビームと実質的に類似の構造を有するフィードビーム５を開示する。しかしながら、接合面２２は、以前の図１のように取付け突起２１ａ、２１ｂにあるわけではない。支持突起２０ａ〜２０ｄには個別のスライド構成要素２３ａ〜２３ｄが備わっていてよい。スライド構成要素２３は、略Ｕ字型の断面を有する長手方向のプロファイル要素でよい。したがって、スライド構成要素２３は、支持突起２１上へ単純に押しつけられてよく、結合剤または機械的締結具を利用してさらに締結されてもよい。場合によっては、スライド構成要素の取付けは、形状ロックで摩擦のみに基づくものでもよい。スライド構成要素は金属材料または適切なポリマー材料で作られ得る。
【００５３】
図５は、支持突起２０ｃおよび２０ｄを用いて掘削ブーム３に対して移動可能に接続されたフィードビーム５を開示する。しかしながら、詳細な接続は示されていない。フィードビーム５は、その上に掘削ユニット４を移動可能に支持するように配置されている。削岩機６は搬送台２４上に取り付けられてよく、搬送台２４は、支持突起２０ａ、２０ｂに対して移動可能に支持され得る。支持突起２０ａ、２０ｂ上には、搬送台２４のスライド部片２５ａまたは２５ｂを支持し得るスライド構成要素２３ａ、２３ｂがあってよい。図５は、基本プロファイル要素１１の外部層構成要素１３の取付け突起２１ａ、２１ｂから１つまたは複数の補助デバイス２６が支持され得ることをさらに開示する。
【００５４】
図６は、基本プロファイル要素の内部層構成要素１２が細長い部片であって、繊維強化材２７およびマトリクス材２８を備える複合材料で作られ得ることを開示する。繊維強化材２７は、長手方向または任意の他の最適な繊維角度に配向されてよい。内部層構成要素１２の断面の形状は、図６では円形であり、図７では矩形である。
【００５５】
図８は、２つの略矩形で中空の長手方向の層構成要素１２、１３を備える２層フィードビーム５を開示しており、これらは重ね合わされている。外部層構成要素１３のコーナーにある支持突起２０ａ〜２０ｄには、一体化されたスライド構成要素または個別のスライド構成要素が備わっていてよい。外部層構成要素１３は、２つ以上の構成要素１３ａ、１３ｂで作られてよく、これらは接合部２２において互いに接続されてよい。
【００５６】
図９は、基本プロファイル要素の壁構造２９を開示する。壁構造２９は内部層構成要素１２および外部層構成要素１３を備える。外部層構成要素１３は剛体の外殻１８および減衰部分１９を備え得る。内部構成要素と外部層構成要素は、どちらも複合材料で作られてよい。
【００５７】
図１０に開示された壁構造２９は、減衰部分１９が、たとえば泡状の材料で作られていることが図９に開示された構造とは異なる。さらに、図１０は、スライド要素２１が外部層１３の不可分の部分として一体化され得ることを開示している。外部層１３は、たとえばねじ締結によって、異なる補助デバイスの取付けを可能にする１つまたは複数の締結要素３０を備えてよい。
【００５８】
図１１は、略矩形で重なり合った層構成要素１２、１３を有するフィードビーム５を開示する。搬送台２４は、スライド部片２５を用いて外部層構成要素１３の上面および側面から支持され得る。内部層構成要素１２は、コーナー領域において長手方向の中空空間３１を備え得る。中空空間３１には長手方向の補強材３２が備わっていてよい。補強材は複合材料で作られてよく、ねじ要素などの適切な張力手段によって予張力をかけられ得る。他のタイプの補強および予張力の棒および部片も使用されてもよい。たとえば、複合層には、補助デバイスの取付けを容易にするために必要な締結要素または挿入物も備わっていてよい。
【００５９】
図面および関係する説明は、本発明の理念を例証するようにのみ意図されている。本発明は、その詳細において、特許請求の範囲の範囲内で変化し得るものである。
【符号の説明】
【００６０】
１  削岩装置
２  搬送台
３  ブーム
４  掘削ユニット
５  フィードビーム
６  削岩機
７  工具
７ａ  掘削ロッド
７ｂ  ドリルの刃先
８  ロッド操作デバイス
９  追加装置
１０  フィードデバイス
１１  基本プロファイル要素
１２  内部層構成要素
１３  外部層構成要素
１３ａ  外部層構成要素の半分
１３ｂ  外部層構成要素の半分
１４  中空空間
１５  フィードデバイス
１６  供給通路
１７  電線
１８  外殻
１９  減衰部分
２０ａ  支持突起
２０ｂ  支持突起
２０ｃ  支持突起
２０ｄ  支持突起
２１ａ  取付け突起
２１ｂ  取付け突起
２２  接合面
２３ａ  スライド構成要素
２３ｂ  スライド構成要素
２３ｃ  スライド構成要素
２３ｄ  スライド構成要素
２４  搬送台
２５ａ  スライド部片
２５ｂ  スライド部片
２６  補助デバイス
２７  繊維強化材
２８  マトリクス材
２９  壁構造
３０  締結要素
３１  中空空間
３２  補強材
【図１】
2019112928.tif 000003
【図２】
2019112928.tif 000004
【図３】
2019112928.tif 000005
【図４】
2019112928.tif 000006
【図５】
2019112928.tif 000007
【図６】
2019112928.tif 000008
【図７】
2019112928.tif 000009
【図８】
2019112928.tif 000010
【図９】
2019112928.tif 000011
【図１０】
2019112928.tif 000012
【図１１】
2019112928.tif 000013
【外国語明細書】
2019112928000001.pdf
2019112928000002.pdf
2019112928000003.pdf
2019112928000004.pdf